(57)【要約】【課題】視聴しているチャンネルと別のチャンネルのデータ放送を表示する場合、視聴しているチャンネルとは別のチューナーが必要となる。【解決手段】選局指示されたチャンネルの放送信号を受信するフロントエンド部１０３と、受信された放送信号から映像信号およびデータ放送信号を分離するトランスポート部１０４と、映像信号にデータ放送信号を重畳するＭＰＥＧデコード部１０５と、データ放送信号を蓄積するメモリ１０７と、放送受信装置がスタンバイ状態である場合、第一チャンネルのデータ放送信号をメモリ１０７に蓄積させ、第二チャンネルの映像信号が視聴されている場合、ユーザー指示に基づき、第二チャンネルの映像信号に、メモリ１０７に蓄積されている第一チャンネルのデータ放送信号を重畳させる制御部１０６と、からなる放送受信装置１００。【選択図】図１
2012080429.tif 000002
【特許請求の範囲】
【請求項１】
選局指示されたチャンネルの放送信号を受信するフロントエンド部と、
前記受信された放送信号から映像信号およびデータ放送信号を分離するトランスポート部と、
前記映像信号に前記データ放送信号を重畳するＭＰＥＧデコード部と、
データ放送信号を蓄積するメモリと、
該放送受信装置がスタンバイ状態である場合、
第一チャンネルのデータ放送信号を前記メモリに蓄積させ、
第二チャンネルの映像信号が視聴されている場合、
ユーザー指示に基づき、前記第二チャンネルの映像信号に、前記メモリに蓄積されている前記第一チャンネルのデータ放送信号を重畳させる制御部と、
からなる放送受信装置。
【請求項２】
前記フロントエンド部は、１系統である
ことを特徴とする請求項１記載の放送受信装置。
【請求項３】
前記第一チャンネルのデータ放送信号は、予めユーザーにより選局指示されたチャンネルのデータ放送信号である
ことを特徴とする請求項１記載の放送受信装置。
【請求項４】
前記第一チャンネルのデータ放送信号は、選局可能な全てのチャンネルのデータ放送信号である
ことを特徴とする請求項１記載の放送受信装置。
【請求項５】
該放送受信装置がスタンバイ状態である場合の前記第一チャンネルのデータ放送信号の取得頻度をユーザー設定により決定する
ことを特徴とする請求項１記載の放送受信装置。
【発明の詳細な説明】
【技術分野】
【０００１】
本発明は、各種デジタル放送のデータ放送が取得可能な放送受信装置に関し、特に、ユーザーの視聴チャンネルとは異なるチャンネルに重畳されているデータ放送を該視聴チャンネルの映像に重畳可能な放送受信装置に関する。
【背景技術】
【０００２】
ＢＳ／ＣＳデジタル放送や、地上デジタル放送などの各種デジタル放送システムでは、放送されている番組と連動したデータ放送や、ニュースや天気予報など放送されている番組とは独立したデータ放送が送出されている場合がある。一般的には、放送されている番組と共に送出されているデータ放送を表示するが、チャンネルによって送出されているデータ放送が違うため、個人の好みによって、視聴チャンネルとは別のチャンネルのデータ放送を表示する方法が考案されている。
【０００３】
例えば、下記の特許文献１のように、複数のチューナーを備える受信機においては、視聴に使用していないチューナーをデータ放送取得用に用いることで、現在視聴中のチャンネルとは別のチャンネルのデータ放送を受信し、視聴チャンネルに別のチャンネルのデータ放送を重畳して表示することが可能である。
【先行技術文献】
【特許文献】
【０００４】
【特許文献１】特開２００５−２０４００９号公報
【発明の概要】
【発明が解決しようとする課題】
【０００５】
しかしながら、上記特許文献１に開示されているテレビジョン受信機では、複数のチューナーを必要とするため、チューナーを１つ（１系統）しか備えていない受信機では、視聴中は視聴チャンネル以外のチャンネルのデータ放送を受信できないという問題がある。
【０００６】
また、複数のチューナーを備えたテレビジョン受信機であっても、録画機能を有する受信機や２画面機能などの複数画面同時表示機能を有する受信機などでは、受信機が備えるチューナーを全て使用していると、チューナーを１つしか備えていない受信機と同様に、所望のデータ放送を受信できないという問題がある。
【０００７】
本発明は、放送受信装置のスタンバイ時（待機状態、データ放送を取得し蓄積するために必要な機能ブロック、例えばチューナーなど、の電源のみを投入した状態をいう）にデータ放送信号をあらかじめ取得し蓄積しておくことで、放送受信装置において未使用チューナーがない場合でも、ユーザーの視聴チャンネルとは異なるチャンネルに重畳されているデータ放送信号を該視聴チャンネルに重畳して表示することを目的とする。
【課題を解決するための手段】
【０００８】
本発明の放送受信装置は、選局指示されたチャンネルの放送信号を受信するフロントエンド部と、前記受信された放送信号から映像信号およびデータ放送信号を分離するトランスポート部と、前記映像信号に前記データ放送信号を重畳するＭＰＥＧデコード部と、データ放送信号を蓄積するメモリと、該放送受信装置がスタンバイ状態である場合、第一チャンネルのデータ放送信号を前記メモリに蓄積させ、第二チャンネルの映像信号が視聴されている場合、ユーザー指示に基づき、前記第二チャンネルの映像信号に、前記メモリに蓄積されている前記第一チャンネルのデータ放送信号を重畳させる制御部と、からなる。
【０００９】
また、本発明の放送受信装置における前記フロントエンド部は、１系統であることを特徴とする。
【００１０】
また、本発明の放送受信装置における前記第一チャンネルのデータ放送信号は、予めユーザーにより選局指示されたチャンネルのデータ放送信号であることを特徴とする。
【００１１】
また、本発明の放送受信装置における前記第一チャンネルのデータ放送信号は、選局可能な全てのチャンネルのデータ放送信号であることを特徴とする。
【００１２】
また、本発明の放送受信装置がスタンバイ状態である場合の前記第一チャンネルのデータ放送信号の取得頻度をユーザー設定により決定することを特徴とする。
【００１３】
本発明の放送受信装置によれば、あるチャンネルを視聴中に、あらかじめ取得し蓄積しておいた現在の視聴チャンネルとは別のチャンネルのデータ放送信号を現在の視聴チャンネルに重畳させて表示できるため、視聴者であるユーザーはチャンネルを切り換えることなく所望のデータ放送を視聴することができる。
【発明の効果】
【００１４】
本発明の放送受信装置によれば、あるチャンネルを視聴中に、あらかじめ取得し蓄積しておいた現在の視聴チャンネルとは別のチャンネルのデータ放送信号を現在の視聴チャンネルに重畳させて表示できるため、視聴者であるユーザーはチャンネルを切り換えることなく所望のデータ放送を視聴することができる。
【図面の簡単な説明】
【００１５】
【図１】本発明の実施例に係わる放送受信装置の構成を示すブロック図。
【発明を実施するための形態】
【００１６】
以下本発明を実施するための形態について、図面を参照しながら説明する。
【実施例１】
【００１７】
まず、本発明の実施例に係わる放送受信装置の構成と機能について説明する。
【００１８】
図１は、本発明の実施例に係わる放送受信装置１００の構成を示すブロック図である。なお、図１に示す放送受信装置１００が備えるチューナー数は１つだが、複数あっても構わない。
【００１９】
放送受信装置１００は、フロントエンド部１０３、トランスポート部１０４、ＭＰＥＧデコード部１０５、ＣＰＵ１０６、ＦＬＡＳＨＲＯＭ１０７、ＲＡＭ１０８、リモコンなどからの操作入力を受け付ける入力インターフェース１０９、リモコン１１０を備えている。
【００２０】
さらに、フロントエンド部１０３はチューナー部１０３ａ、復調回路１０３ｂ、誤り訂正部１０３ｃを有し、トランスポート部１０４はトランスポートデコーダー１０４ａを有し、ＭＰＥＧデコード部１０５はＭＰＥＧデコーダー１０５ａ、ＯＳＤ表示部１０５ｂ、ビデオエンコーダー１０５ｃ、音声ＤＡＣ１０５ｄを有する。また、ＦＬＡＳＨＲＯＭ１０７には、システム制御プログラム１０７ａ、チャンネル情報１０７ｂ、データ放送取得頻度１０７ｃ、データ放送情報１０７ｄが記憶されている、または記録される。
【００２１】
図１において、フロントエンド部１０３のチューナー部１０３ａは、ユーザーの選局指示に基づき、選局指示されたチャンネルの放送信号を受信する。チューナー部１０３ａで選局されたチャンネルの放送信号は、復調回路１０３ｂで復調され、誤り訂正部１０３ｃで誤り訂正が行われ、トランスポート部１０４に出力される。
【００２２】
トランスポート部１０４のトランスポートデコーダー１０４ａにおいて、フロントエンド部１０３から出力された放送信号は、映像信号や音声信号、データ放送信号に分離される。トランスポート部１０４で分離された映像信号および音声信号はＭＰＥＧでコード部１０５に出力され、データ放送信号はＣＰＵ１０６に出力される。
【００２３】
ＭＰＥＧデコーダー１０５のＭＰＥＧデコーダー１０５ａにおいて、トランスポート部１０４から出力された映像信号や音声信号のデータ復号が行われ、復号された映像信号はビデオエンコーダー１０５ｃに接続された表示装置（図示せず）に対応したビデオ信号に符号化される。また、復号された音声信号は音声ＤＡＣ１０５ｄでアナログ信号に変換され出力される。ＯＳＤ表示部１０５ｂは、各種メニューや電子番組表などの表示制御を行うとともに、データ放送信号の表示制御を行う。これらの表示はＭＰＥＧデコーダー１０５ａからの映像信号に重畳されて表示装置に表示される。
【００２４】
ＣＰＵ１０６は、リモコン１１０からのユーザー操作によって入力インターフェース１０９から送られるコントロール信号とＦＬＡＳＨＲＯＭに記憶されたシステム制御プログラム１０７ａにより管理または制御され、チューナー選局処理などの放送受信装置１００全体に制御をつかさどる。
【００２５】
放送受信装置１００は、スタンバイ時（待機状態、データ放送を取得し蓄積するために必要な機能ブロック、例えばチューナーなど、の電源のみを投入した状態をいう）において、データ放送信号を受信し、受信したデータ放送信号をＦＬＳＡＨＲＯＭ１０７に格納する。ユーザーが予め選局指示しておいたチャンネルはチャンネル情報１０７ｂに記憶されており、チャンネル情報１０７ｂに記憶されたチャンネルに基づき受信されたデータ放送信号は、ＣＰＵ１０６経由でデータ放送情報１０７ｄとして蓄積される。最新の情報を取得するために、スタンバイ時は常にデータ放送信号を取得し、データ放送情報１０７ｄとして蓄積または上書きで蓄積することが可能である。また、予めユーザーが設定しておいたデータ放送信号取得頻度１０７ｃに従ってデータ放送信号を取得することも可能である。また、放送受信装置１００が選局可能な全てのチャンネルに基づきデータ放送信号を取得することも可能である。
【００２６】
リモコン１１０には、データ放送信号の表示をオン／オフさせるボタン１１０ａを備えている。
【００２７】
次に、本発明の実施例に係わる放送受信装置の動作について説明する。
【００２８】
放送受信装置１００は、スタンバイ時に放送信号の受信を行う。このとき、予めユーザーが選局指示しておいたチャンネル情報１０７ｂを参照しながら、データ放送信号の取得対象チャンネルの放送信号のみを受信してもよいし、放送受信装置１００が受信可能な全てのチャンネルのデータ放送信号を受信してもよい。受信したデータ放送信号はＦＬＡＳＨＲＯＭ１０７上にデータ放送情報１０７ｄとして蓄積される。
【００２９】
ユーザーが任意のチャンネルを視聴時にリモコンボタン１１０ａを押下すると、ＦＬＡＳＨＲＯＭ１０７に格納されているデータ放送情報１０７ｄが読み出され、視聴中のチャンネルの映像信号に重畳して表示することができる。このとき、現在視聴中のデータ放送信号またはＦＬＡＳＨＲＯＭ１０７に格納されたデータ放送情報１０７ｄのどちらを表示するかはユーザーの選択による。
【００３０】
本発明の放送受信装置によれば、あるチャンネルを視聴中に、あらかじめ取得し蓄積しておいた現在の視聴チャンネルとは別のチャンネルのデータ放送信号を現在の視聴チャンネルに重畳させて表示できるため、視聴者であるユーザーはチャンネルを切り換えることなく所望のデータ放送を視聴することができる
【産業上の利用可能性】
【００３１】
本発明の放送受信装置は、あるチャンネルを視聴中に、あらかじめ取得しておいた現在の視聴チャンネルとは別のチャンネルのデータ放送信号を現在の視聴チャンネルに重畳させて表示できるため、視聴者であるユーザーはチャンネルを切り換えることなく所望のデータ放送を視聴することができ、データ放送を表示可能な放送受信装置として有用である。
【符号の説明】
【００３２】
１００    放送受信装置
１０３    フロントエンド部
１０３ａ    チューナー部
１０３ｂ    復調回路
１０３ｃ    誤り訂正部
１０４    トランスポート部
１０４ａ    トランスポートデコーダー
１０５    ＭＰＥＧデコード部
１０５ａ    ＭＰＥＧデコーダー
１０５ｂ    ＯＳＤ表示部
１０５ｃ    ビデオエンコーダー
１０５ｄ    音声ＤＡＣ  
１０６    ＣＰＵ
１０７    ＦＬＡＳＨＲＯＭ
１０７ａ    システム制御プログラム
１０７ｂ    チャンネル情報
１０７ｃ    データ放送取得頻度
１０７ｄ    データ放送情報
１０８    ＲＡＭ
１０９    入力インターフェース
１１０    リモコン
１１０ａ    ボタン
【図１】
2012080429.tif 000003